(57)【特許請求の範囲】
【請求項１】
複数の映像スイッチャーを制御することにより、入力映像信号の切り替え制御を行っている映像信号切替システムであって、
制御先装置のＩＤ情報、制御装置のＩＤと制御仕様の情報、入出力信号の情報および連動制御情報からなるコンフィグレーションファイルを前記複数の映像スイッチャー毎に格納しているコンフィグレーション装置と、
連動制御しようとする複数の映像スイッチャーの情報および、通常の映像スイッチャーとは制御仕様の異なる特殊映像スイッチャーの情報に関するコンフィグレーションファイルを、前記コンフィグレーション装置から制御情報として読み込み、複数の映像スイッチャーを連動制御しようとする場合には、読み込んだ前記コンフィグレーションファイル内の連動情報を用いることにより連動制御を行い、前記特殊映像スイッチャーの制御を行おうとする場合には、読み込んだ前記コンフィグレーションファイル内の制御仕様の情報を参照して制御を行う特殊リモートコントロールパネルと、
を備えた映像信号切替システム。
【請求項２】
前記連動制御情報には、連動制御しようとする第１の映像スイッチャーにおいて選択すべき入力信号を特定する情報と、第２の映像スイッチャーにおいて選択すべき入力信号を特定する情報と、次に参照すべきコンフィグレーションファイルを示す情報が含まれる請求項１記載の映像信号切替システム。
【発明の詳細な説明】
【技術分野】
【０００１】
本発明は、複数の映像スイッチャーを制御することにより、入力映像信号の切り替え制御を行っている映像信号切替システムに関する。
【背景技術】
【０００２】
複数の映像信号の中から１つの映像信号を選択して、指定された宛先に出力するために映像信号切替システムが用いられる（例えば、特許文献１参照。）。このような映像信号切替システムには、映像信号の切り替えを行うための映像スイッチャーと、この映像スイッチャーを制御するためのリモートコントロールパネルとが設けられた構成のものがある（例えば、特許文献２参照。）。ここで、映像スイッチャーは、リモートコントロールパネルからの指示に基づいて、複数の入力信号と、複数の出力先との間を任意に接続するマトリックス切り替えを行う構成となっている。
【０００３】
映像信号の数が少なく、複雑な切替が必要の無い場合には、映像スイッチャーは単独で使用されることが多い。しかし、入力映像信号数が多くなった場合などには、複数の映像スイッチャーを多段に接続して使用するような場合もある。また、入力段の映像スイッチャー、出力段の映像スイッチャーとを意図的に用途で分けて使用するような場合もある。このような場合には、２台以上の映像スイッチャーを連動して制御する必要がある。しかし、通常のリモートコントロールパネルは映像スイッチャーを制御するのに必要最低限の機能しかない簡易的な構成となっているために基本的には１：１の制御を前提としている。そのため、通常のリモートコントロールパネルで２台以上の映像スイッチャーを制御しようとすると、切替タイミングがずれてしまうという問題や、制御する映像スイッチャーの数だけリモートコントロールパネルが必要になるという問題が発生する。
【０００４】
このような問題を解決するために、複数の映像スイッチャーの連動制御が可能な特殊リモートコントロールパネルが用いられている。しかし、全ての映像スイッチャーにおいて、制御に使用するデータのコードの組み合わせ（仕様）が同じになっているわけではないため、特殊リモートコントロールパネルにより２台以上の映像スイッチャーの連動制御をしようとした場合、制御変換処理装置が必要となる。つまり、特殊リモートコントロールパネルは、その制御情報を保持している制御変換処理装置を経由することによって複数の映像スイッチャーの連動制御を行う。
【０００５】
また、映像スイッチャーの中には、通常の映像スイッチャーの制御仕様とは異なる制御仕様を有する特殊映像スイッチャーが存在する。このような特殊映像スイッチャーを制御する場合にも、制御仕様の変換情報を制御変換処理装置に持たせ、この制御変換処理装置を経由することで制御を行う。
【０００６】
図４は、従来のこの種の映像信号切替システムの構成の一例を示すブロック図である。
【０００７】
この従来の映像信号切替システムは、図４に示されるように、映像スイッチャー２１、２２と、特殊映像スイッチャー３と、リモートコントロールパネル１１〜１ｘと、制御変換処理装置７と、コンフィグレーション装置５と、特殊リモートコントロールパネル４とから構成されている。
【０００８】
映像スイッチャー２１、２２は、入力映像信号を選択して出力を行うマトリックスを持った構造となっている。
【０００９】
リモートコントロールパネル１１〜１ｘは、映像スイッチャー２１もしくは２２を直接制御することにより入力映像信号の選択制御を行っている。
【００１０】
特殊リモートコントロールパネル４は、映像スイッチャー２１と映像スイッチャー２２を通して映像信号出力を行う経路を作り出す連動制御や、映像スイッチャー２１、２２とは異なる制御仕様を持った特殊映像スイッチャー３を制御することができる。
【００１１】
特殊リモートコントロールパネル４は、図５に示されるように、映像スイッチャー２１、２２を同時に制御することにより、映像スイッチャー２１の入力信号がＸ１２から入力されてＹ１２の出力を通して映像スイッチャー２２の入力Ｘ２１に接続され、最後にＹ２１に出力されるような連動制御を行う。
【００１２】
制御変換処理装置７は、特殊リモートコントロールパネル４によって２台の映像スイッチャー２１、２２の連動制御を行う場合や、特殊映像スイッチャー３の制御を行う場合に必要となる、制御仕様の変換を行うための変換情報を格納している。
【００１３】
コンフィグレーション装置５は、リモートコントロールパネル１１〜１ｘと、特殊リモートコントロールパネル４に対して、映像スイッチャー２１，２２や特殊映像スイッチャー３を制御するための制御情報を作成して転送する。
【００１４】
この従来の映像信号切替システムにおいて、特殊リモートコントロールパネル４は、通常のリモートコントロールパネル１１〜１ｘに近い構成をとっており、制御変換処理装置７を介して映像スイッチャーを制御する必要がある。このため特殊リモートコントロールパネル４の台数が増えた場合もしくは制御先の映像スイッチャー２１、２２の台数が増えた場合、制御変換処理装置７のコンフィグレーションデータのカスタマイズ量が増加し、データを保持するメモリを多く必要としてしまう。また、このような場合、制御変換処理装置７に制御の負荷が集中してしまい、メンテナンスや問題があって装置が停止していた場合は、それを経由する全装置が使用できなくなる。
【特許文献１】特開２００３−１８６４６０号公報
【特許文献２】特開平１１−２７５７８号公報
【発明の開示】
【発明が解決しようとする課題】
【００１５】
上述した従来の映像信号切替システムでは、特殊リモートコントロールパネルにより複数の映像スイッチャーの連動制御や特殊映像スイッチャーの制御をしようとした場合に、カスタマイズが必要な制御変換処理装置が必要となるため、特殊リモートコントロールパネルの台数が増えたような場合に、制御負荷が集中してしまう等の問題点があった。
【００１６】
本発明の目的は、制御変換処理装置といったシステムの要求を満たすためにカスタマイズが必要な装置を必要とすることなく、リモートコントロールパネルのコンフィグレーションを効率的に行うことで、映像スイッチャーの制御を効率的に行うことができる映像信号切替システムを提供することである。
【課題を解決するための手段】
【００１７】
上記目的を達成するために、本発明の映像信号切替システムは、複数の映像スイッチャーを制御することにより、入力映像信号の切り替え制御を行っている映像信号切替システムであって、
制御先装置のＩＤ情報、制御装置のＩＤと制御仕様の情報、入出力信号の情報および連動制御情報からなるコンフィグレーションファイルを前記複数の映像スイッチャー毎に格納しているコンフィグレーション装置と、
連動制御しようとする複数の映像スイッチャーの情報および、通常の映像スイッチャーとは制御仕様の異なる特殊映像スイッチャーの情報に関するコンフィグレーションファイルを、前記コンフィグレーション装置から制御情報として読み込み、複数の映像スイッチャーを連動制御しようとする場合には、読み込んだ前記コンフィグレーションファイル内の連動情報を用いることにより連動制御を行い、前記特殊映像スイッチャーの制御を行おうとする場合には、読み込んだ前記コンフィグレーションファイル内の制御仕様の情報を参照して制御を行う特殊リモートコントロールパネルとを備えている。
【００１８】
また、前記連動制御情報には、連動制御しようとする第１の映像スイッチャーにおいて選択すべき入力信号を特定する情報と、第２の映像スイッチャーにおいて選択すべき入力信号を特定する情報と、次に参照すべきコンフィグレーションファイルを示す情報を含むようにしてもよい。
【００１９】
本発明では、制御装置である映像スイッチャーの制御仕様の情報や連動制御情報を含むコンフィグレーションファイルを、各映像スイッチャー毎にコンフィグレーション装置に格納しておき、このコンフィグレーションファイルを特殊リモートコントロールパネルに転送することにより特殊リモートコントロールパネルのセッティングが行われる。そのため、特殊リモートコントロールパネルは、複数の映像スイッチャーの連動制御や、特殊映像スイッチャーの制御を、制御変換処理装置を介することなく直接行うことが可能となる。そして、制御変換処理装置が不要となったことにより、制御パフォーマンスの向上や稼働率の向上が図られる。
【００２０】
さらに、制御先装置である映像スイッチャーごとにコンフィグレーションファイルを管理することで容易に制御先装置の台数が増えたりするようなシステムに対応できるので、特殊リモートコントロールパネルと通常のリモートコントロールパネルの区別なく、直接映像スイッチャーを制御することが可能となる。
【発明の効果】
【００２１】
以上説明したように、本発明によれば、下記のような効果を得ることができる。
【００２２】
（１）映像スイッチャーの連動制御や、特殊映像スイッチャーの制御を行う際に、カスタマイズを必要とする制御変換処理装置を通す必要がないので、制御パフォーマンスの向上や稼働率の向上につながる。
【００２３】
（２）制御先装置である映像スイッチャーごとにコンフィグレーションファイルを管理することで容易に制御先装置の台数が増えたりするようなシステムに対応できるので、特殊リモートコントロールパネルと通常のリモートコントロールパネルの区別なく、直接映像スイッチャーを制御することが可能となる。
【発明を実施するための最良の形態】
【００２４】
次に、本発明の実施の形態について図面を参照して詳細に説明する。
【００２５】
（第１の実施形態）
図１は本発明の第１の実施形態の映像信号切替システムの構成を示すブロック図である。図１において、図４中の構成要素と同一の構成要素には同一の符号を付し、説明を省略するものとする。
【００２６】
本実施形態の映像信号切替システムは、図４に示した従来の映像信号切替システムに対して、特殊リモートコントロールパネル９４、コンフィグレーション装置９５が、それぞれ特殊リモートコントロールパネル４、コンフィグレーション装置５に置き換えられ、制御変換処理装置７が省かれた構成となっている。
【００２７】
本実施形態の映像信号切替システムにおける特殊リモートコントロールパネル４は、図４に示したような制御変換処理装置７を途中に介することなく、直接映像スイッチャー２１、２２の連動制御や、特殊映像スイッチャー３の制御を行える点が、図４に示した従来の映像信号切替システムとは異なっている。
【００２８】
本実施形態におけるコンフィグレーション装置５は、図２に示すようなコンフィグレーションファイルを、制御先装置である映像スイッチャー２１、２２、特殊映像スイッチャー３毎に格納していて、このコンフィグレーションファイルを制御情報としてリモートコントロールパネル１１〜１ｘ、特殊リモートコントロールパネル４に対して転送する。
【００２９】
このコンフィグレーションファイルは、図２に示されるように、制御先装置である映像スイッチャーのＩＤ、制御装置であるリモートコントロールパネル（特殊リモートコントロールパネルも含む）のＩＤと制御仕様の情報、入出力信号の情報と、連動制御情報とから構成されている。
【００３０】
連動制御情報には、連動制御しようとする映像スイッチャー２１において選択すべき入力信号を特定する情報と、映像スイッチャー２２において選択すべき入力信号を特定する情報と、次に参照すべきコンフィグレーションファイルを示す情報が含まれる。
【００３１】
通常のリモートコントロールパネル１１〜１ｘは、通常の映像スイッチャー２１、２２のうちの１台の映像スイッチャーのみを制御するため、コンフィグレーション装置５から映像スイッチャー２１の情報または映像スイッチャー２２の情報のいずれかのコンフィグレーションファイルが制御情報として設定される。
【００３２】
例えば、リモートコントロールパネル１１は、コンフィグレーション装置５から制御情報６１をもらい、その制御情報６１に基づいて映像スイッチャー２１の制御が行える状態にセットアップされる。
【００３３】
そして、特殊リモートコントロールパネル４は、映像スイッチャー２１、２２の連動制御や、特殊映像スイッチャー３の制御を行うため、コンフィグレーション装置５から映像スイッチャー２１、２２の情報および特殊映像スイッチャー３の情報という３つのコンフィグレーションファイルが制御情報６２として設定される。
【００３４】
つまり、特殊リモートコントロールパネル４は、連動制御しようとする２台の映像スイッチャー２１、２２の情報および、通常の映像スイッチャーとは制御仕様の異なる特殊映像スイッチャー３の情報に関するコンフィグレーションファイルを、コンフィグレーション装置５から制御情報６２として読み込む。
【００３５】
そして、特殊リモートコントロールパネル４は、２台の映像スイッチャー２１、２２を連動制御しようとする場合には、読み込んだコンフィグレーションファイル内の連動情報を用いることにより連動制御を行い、特殊映像スイッチャー３の制御を行おうとする場合には、読み込んだコンフィグレーションファイル内の制御仕様の情報を参照して制御を行う。
【００３６】
上述したように、特殊リモートコントロールパネル４により映像スイッチャー２１および映像スイッチャー２２の連動制御を実施する場合は、クロスポイントの制御情報を２台の映像スイッチャー２１、２２へ出力する必要がある。そこで、本実施形態の映像信号切替システムでは、コンフィグレーション装置５から特殊リモートコントロールパネル４に対して、２台の映像スイッチャー２１、２２の情報というコンフィグレーションファイルを制御情報として転送する。
【００３７】
以下、映像スイッチャー２１の情報に関するコンフィグレーションファイルをファイル１、映像スイッチャー２２の情報に関するコンフィグレーションファイルをファイル２とし、特殊映像スイッチャー３の情報に関するコンフィグレーションファイルをファイル３と表すものとする。
【００３８】
リモートコントロールパネル４は、ファイル１の１台目の制御先装置のＩＤ情報を基に映像スイッチャー２１の制御を行い、前述のような２台のスイッチャーを連動して制御するクロスポイント（Ｘ１２，Ｙ１２）では、その制御情報をファイル１の連動制御情報から得て２台目のスイッチャーの制御情報を参照してクロスポイント（Ｘ２１，Ｙ２１）の制御を行う。
【００３９】
次に、通常の映像スイッチャーとは制御仕様の異なった特殊映像スイッチャー（ここでは、制御インターフェイスの物理的な仕様は同じものとする）３を制御するために、コンフィグレーションファイルには電文フォーマット等の制御仕様が違うことの記述が行われる。例えば、信号の経路を決定する以外の情報が挿入されていることにより、制御信号における入力信号のクロスポイントの指定場所の順番が違ったりするような場合に、クロスポイントの制御が行える情報が抜き出せる場所の指定がコンフィグレーションファイルに表記される。特殊リモートコントロールパネル４は、この情報から制御仕様の違いを判断し、特殊映像スイッチャー３の制御を行う。
【００４０】
また、この特殊リモートコントロールパネル４は、ファイル１とファイル２を切り替えて使用することで、通常のリモートコントロールパネル１１〜１ｘと同様に制御先装置を独立して制御することが可能である。このためコンフィグレーションファイルを１つだけ用意することで、特殊リモートコントロールパネルを従来の通常のリモートコントロールパネルと同じ使用ができるので、特殊リモートコントロールパネルと通常のリモートコントロールパネルとの区別を必要とせずにシステム構成を行うことが可能となる。
【００４１】
（第２の実施形態）
本発明の第２の実施形態の映像信号切替システムについて説明する。
【００４２】
図１に示した第１の実施形態では、２台の映像スイッチャー２１、２２を連動制御する場合を用いて説明した。本発明の第２の実施形態の映像信号切替システムは、
連動制御を行う制御先の映像スイッチャーの数が２台から３台に増やされている点が上記の第１の実施形態とは異なる。本実施形態では、図３に示されるように、３台の映像スイッチャー２１〜２３を連動制御する場合について説明する。
【００４３】
図３のように映像スイッチャー１台の入力信号数８本（Ｘ１１〜Ｘ１８）に対して、入力信号数を２４本に拡張することを考える。図３の例では１台に８本の入力信号数を有するので、このシステムで追加に要する映像スイッチャーの台数は２台となる。そこで図３のような３台の映像スイッチャーを連結して１台のスイッチャーとみなして出力Ｙ３１を得ることで、擬似的に入力数を増加させる。このような追加を行う場合には、コンフィグレーションファイルを３台分用意する。そして、映像スイッチャー２１の入力信号Ｘ１１からＸ１８の入力信号をＹ３１にて出力させる場合には、映像スイッチャー２２のクロスポイント（Ｘ２１，Ｙ２１）を制御するようにファイル１の連動制御情報に設定を行い、映像スイッチャー２２の入力信号Ｘ２１からＸ２８の入力信号をＹ３１にて出力させる場合には映像スイッチャー２３のクロスポイント（Ｘ３１，Ｙ３１）を制御するようにファイル２の連動制御情報に設定を行う。映像スイッチャー２３を制御するファイル３には連動制御設定の必要は無く、通常の設定のみでＸ３１からＸ３８の入力信号をＹ３１に制御できる。
【００４４】
このようにコンフィグレーションを利用することにより、映像スイッチャーの入力信号が不足している場合でも、映像スイッチャーの台数を追加することにより入力信号数を増やすという手段において、コンフィグレーションファイルを追加するだけで容易に制御信号の出力先を増やすことができる。
【００４５】
上記第１および第２の実施形態では、映像信号の切り替えを行う映像スイッチャーを用いた場合について説明したが、本発明はこれに限定されるものではなく、音声信号の切り替えを行う音声スイッチャーを用いた場合でも同様に本発明を適用することができるものである。
【図面の簡単な説明】
【００４６】
【図１】本発明の第１の実施形態の映像信号切替システムの構成を示すブロック図である。
【図２】本発明の第１の映像信号切替システムにおいて、２台の映像スイッチャー２１、２２を連動させて制御する際の動作を説明するための図である。
【図３】本発明の第２の実施形態の映像信号切替システムにおいて、３台の映像スイッチャー２１、２２、２３を連動させて制御する際の動作を説明するための図である。
【図４】従来の映像信号切替システムの構成を示すブロック図である。
【図５】２台の映像スイッチャー２１、２２の連動制御を説明するための図である。
【符号の説明】
【００４７】
３    特殊映像スイッチャー
４    特殊リモートコントロールパネル
５    コンフィグレーション装置
７    制御変換処理装置
１１〜１ｘ    リモートコントロールパネル
２１〜２３    映像スイッチャー
６１、６２    制御情報
９４    特殊リモートコントロールパネル
９５    コンフィグレーション装置
【図１】
0004626763.tif 000002
【図２】
0004626763.tif 000003
【図３】
0004626763.tif 000004
【図４】
0004626763.tif 000005
【図５】
0004626763.tif 000006